(57)【要約】【課題】  パレット２０上の製品や荷物１１等に対して、非接触ＩＣタグ１０の読み取りと同時にラップフィルム８の巻き付けを行うことのできるラップフィルム軸受け型ＩＣタグリーダライタ１を提供する。【解決手段】  本発明のラップフィルム軸受け型ＩＣタグリーダライタ１は、ラップフィルム軸受け部３と持ち手部４とからなり、当該ラップフィルム軸受け部３にラップフィルム８の紙管９を装着した状態で、当該紙管をラップフィルム軸受け部３から回転させるラップフィルム軸受け型ＩＣタグリーダライタ１において、当該ラップフィルム軸受け部３が円筒状のプラスチック管からなり、内部にリーダライタアンテナを備え、持ち手部４にＩＣタグ用リーダライタ本体部を装備していることを特徴とする。持ち手部４の中にアンテナとリーダライタ本体部の双方を備えるようにしてもよい。【選択図】    図１
2007304901.tif 000002
【特許請求の範囲】
【請求項１】
ラップフィルム軸受け部と持ち手部とからなり、当該ラップフィルム軸受け部にラップフィルムの紙管を装着した状態で、当該紙管をラップフィルム軸受け部から回転させるラップフィルム軸受け型ＩＣタグリーダライタにおいて、当該ラップフィルム軸受け部が円筒状のプラスチック管からなり、当該プラスチック管内にリーダライタアンテナを備え、持ち手部に非接触ＩＣタグ用リーダライタ本体部を備えることを特徴とするラップフィルム軸受け型ＩＣタグリーダライタ。
【請求項２】
持ち手部に非接触ＩＣタグ用リーダライタの表示部と操作部を備えることを特徴とする請求項１記載のラップフィルム軸受け型ＩＣタグリーダライタ。
【請求項３】
円筒状のプラスチック管の持ち手部側と先端部または適宜箇所にボールベアリングを備えることを特徴とする請求項１記載のラップフィルム軸受け型ＩＣタグリーダライタ。
【請求項４】
ラップフィルム軸受け部と持ち手部とからなり、当該ラップフィルム軸受け部にラップフィルムの紙管を装着した状態で、ラップフィルム軸受け部が持ち手部から回転自在にされているラップフィルム軸受け型ＩＣタグリーダライタにおいて、当該持ち手部内にリーダライタアンテナと非接触ＩＣタグ用リーダライタ本体部を備えることを特徴とするラップフィルム軸受け型ＩＣタグリーダライタ。
【請求項５】
持ち手部に非接触ＩＣタグ用リーダライタの表示部と操作部を備えることを特徴とする請求項４記載のラップフィルム軸受け型ＩＣタグリーダライタ。
【発明の詳細な説明】
【技術分野】
【０００１】
本発明は、ラップフィルム軸受け型ＩＣタグリーダライタに関する。詳しくは、例えば、パレット上に積み上げた製品や荷物等にラップフィルムを巻き付ける際に、製品や荷物等に付された非接触ＩＣタグのデータを同時に読み取りするようにされたＩＣタグリーダライタに関する。
【背景技術】
【０００２】
非接触ＩＣタグは、ＲＦＩＤ（Radio Frequency Identification) とも称され、個体の識別が可能な情報を保持するＩＣチップを備え、この情報を無線通信によって非接触で読み取りできるようにされている。このようなＩＣタグは、例えば、運送や物流、倉庫、工場工程管理、荷物の取り扱いの分野等で利用されている。
【０００３】
運送や物流の過程で良く行われる作業に、パレット上に積み上げた製品や荷物等にラップフィルムを巻き付けする作業がある。輸送中に製品や荷物等がパレットから荷崩れして落下するのを防止する目的である。この作業は、近年では持ち手部と当該持ち手部から回転自在な軸受け部からなる装置を使用し、当該装置の軸受け部に、ラップフィルムの紙管を装入して、作業員が持ち手部を把手して、パレットの周囲を回転しながら移動して（あるいはパレットを回転させて）、ラップフィルムを製品や荷物等に巻き付けるようにして行われることが多い。
【０００４】
ところで、近年、前記のように非接触ＩＣタグが広範に使用されるようになり、パレット上に積み上げた製品や荷物等にも非接触ＩＣタグが付されるようになってきている。
非接触ＩＣタグはその固有番号と荷物との対応関係を読み取りして管理するのが通常である。製品内容や宛先、流通経路等を確認する場合が多い。この場合、ラップフィルムの巻き付けと非接触ＩＣタグの読み取りを別の工程で行うのは、非接触ＩＣタグの読み落としや読み取り後の荷物の追加等があって、荷物とデータ数の不一致が生じ易い。この場合は、ラップフィルムの巻き直しや再確認等が生じて効率的に好ましくない。
【０００５】
そこで、本発明はラップフィルムの巻き付けと非接触ＩＣタグの読み取り作業を同時に行える装置を提案するものである。
上記装置に関する先行文献を特に検出できないが、ラップフィルムによる自動包装装置に関して特許文献１があり、フィルムホルダーに関して特許文献２がある。
【０００６】
【特許文献１】特公平７−８６０１０号公報
【特許文献２】実用新案登録第３１１５３６６号公報
【発明の開示】
【発明が解決しようとする課題】
【０００７】
上記のように、製品や荷物等にラップフィルムを巻き付ける際に、非接触ＩＣタグの読み取りをも同時に行う装置の開発を目的とするものである。
【課題を解決するための手段】
【０００８】
上記課題を解決する本発明の要旨の第１は、ラップフィルム軸受け部と持ち手部とからなり、当該ラップフィルム軸受け部にラップフィルムの紙管を装着した状態で、当該紙管をラップフィルム軸受け部から回転させるラップフィルム軸受け型ＩＣタグリーダライタにおいて、当該ラップフィルム軸受け部が円筒状のプラスチック管からなり、当該プラスチック管内にリーダライタアンテナを備え、持ち手部に非接触ＩＣタグ用リーダライタ本体部を備えることを特徴とするラップフィルム軸受け型ＩＣタグリーダライタ、にある。    
【０００９】
上記課題を解決する本発明の要旨の第２は、ラップフィルム軸受け部と持ち手部とからなり、当該ラップフィルム軸受け部にラップフィルムの紙管を装着した状態で、当該紙管をラップフィルム軸受け部から回転自在にされているラップフィルム軸受け型ＩＣタグリーダライタにおいて、当該持ち手部内にリーダライタアンテナと非接触ＩＣタグ用リーダライタ本体部を備えることを特徴とするラップフィルム軸受け型ＩＣタグリーダライタ、にある。
【００１０】
上記要旨の第１のラップフィルム軸受け型ＩＣタグリーダライタにおいて、円筒状のプラスチック管の持ち手部側と先端部または適宜箇所にボールベアリングを備える、ようにすればラップフィルム紙管の回転を円滑にできる。また、上記要旨の第１および第２のラップフィルム軸受け型ＩＣタグリーダライタにおいて、持ち手部に非接触ＩＣタグ用リーダライタの表示部と操作部を備える、ようにすれば、読み取り間違い等の有無を直ちに判断することができる。
【発明の効果】
【００１１】
（１）本発明のラップフィルム軸受け型ＩＣタグリーダライタは、軸受け部にラップフィルムを巻いた紙管を保持でき、かつ非接触ＩＣタグ用リーダライタを備えているので、ラップフィルムを巻き剥がしながら製品や荷物等に巻き付けることができ、同時に製品や荷物等に付された非接触ＩＣタグを読み取りできる利便性がある。
【００１２】
（２）要旨の第１のラップフィルム軸受け型ＩＣタグリーダライタでは、非接触ＩＣタグのアンテナをプラスチック管からなるラップフィルム軸受け部に備えているので、電波が軸受け部や紙管、ラップフィルムに遮られることなく、ラップフィルムの幅内に位置することの多い製品や荷物等の非接触ＩＣタグを効率よく読み取りすることができる。
（３）要旨の第２のラップフィルム軸受け型ＩＣタグリーダライタでは、ラップフィルム軸受け部が持ち手部から回転自在にされていて、非接触ＩＣタグ用リーダライタ本体部とアンテナの双方が当該持ち手部に備えられている。したがって、ラップフィルムの紙管が金属管であっても水濡れしていても読み取りに支障となることがない。また、ＩＣタグ用リーダライタのアンテナを非接触ＩＣタグに向けて常時対面させ易く読み取りを確実に行うことができる。
【発明を実施するための最良の形態】
【００１３】
以下、図面を参照して、本発明の実施形態を、さらに詳しく説明する。
図１は、本発明のラップフィルム軸受け型ＩＣタグリーダライタ（以下、「本リーダライタ」とする。）の使用状況を説明する図、図２は、本リーダライタの第１形態を示す外観図、図３は、第１形態の内部構造を示す図、図４は、本リーダライタの第２形態を示す外観図、図５は、第２形態の内部構造を示す図、である。
【００１４】
図１は、本リーダライタの使用状況を説明する図である。図１のように、作業者Ｍは、本リーダライタ１の持ち手部４を両手で保持して、ラップフィルム軸受け部３に装着されたラップフィルム８の巻きを剥がしながら非接触ＩＣタグ１０の付された製品や荷物１１に巻き付けする。ラップフィルム８は柔軟なプラスチックフィルムからなり、引張して伸び易く、かつ物品の形状に沿って変形して付着し易くされている。従って、ある程度の力を加えながらラップフィルム８を引っ張った状態で製品や荷物１１に巻き付けすると、引張したフィルムには収縮力が働くので、製品や荷物１１を緊迫して固定し輸送中における荷崩れ等を防止できる。作業者Ｍは、パレット２０に積まれた製品や荷物１１の周りを周回して巻き付けする。パレット２０の下側に回転台を備える場合もあり、その場合は作業者Ｍは、パレット２０の周りを回らないでも巻き付けすることができる。
【００１５】
一般に、ラップフィルム８は紙管９に巻かれているので、紙管９をラップフィルム軸受け部３に差し込みして装着する。本リーダライタ１は、軸受け部３にアンテナを備え、持ち手部４に非接触ＩＣタグのリーダライタ本体部を備えるか、持ち手部４に非接触ＩＣタグのリーダライタ本体部とアンテナの双方を備えているので、ラップフィルム８の巻き付けと同時に、製品や荷物１１に付された非接触ＩＣタグ１０のデータを読み取りできる特徴がある。非接触ＩＣタグ１０は目視で所在が判るように製品や荷物１１の外面に貼るのが通常であるが、金属材料が間に介在しない限りダンボール箱等の内部にあっても読み取りは可能である。通常、内部にある場合も非接触ＩＣタグ１０の位置が外観から分かるように外面に表示されている。パレット２０に付された非接触ＩＣタグを読み取りする場合もある。
【００１６】
非接触ＩＣタグ１０は周波数は、１３．５６ＭＨｚ帯のもの、あるいはＵＨＦ帯（９５２Ｍ〜９５５ＭＨｚ）やマイクロ波である２．４５ＧＨｚ帯のものでも構わない。ＵＨＦ帯の非接触ＩＣタグは３〜５ｍの通信距離が得られ、２．４５ＧＨｚ帯（１〜１．５ｍ）のＩＣタグよりも遠距離の読み取り性に優れるといわれる。ただし、現状のＵＨＦ帯ＩＣタグリーダライタはアンテナ面積サイズの大きいものが多い。
読み取りしたデータは、持ち手部４の表示部（不図示）に表示され、製品数等との照合が直ちに可能になることが好ましい。持ち手部４内には、電源としてのバッテリーや遠隔した位置にあるホスト端末との無線通信装置をさらに備えていてもよい。電源は商用交流電源を用いてもよい。
【００１７】
軸受け部３は、各種幅のラップフィルムを装着できるように、軸長の異なるものを互換して用いられるようにしてもよい。通常、幅３０〜８０センチ程度のラップフィルム巻取りを装着できれば十分である。軸受け部３が内部にリーダライタアンテナを納める場合、金属では電波を遮蔽するのでプラスチック材料を用いる必要がある。ただし、リーダライタ本体部とアンテナを持ち手部４に納める場合は、金属材料にすることができる。
軸受け部３は完全に管状であったり円筒状体である必要はなく、一部にスリットがあったり孔が空いていてもよい。また、太さを拡大したり縮小できる構造であってもよい。そのような構造は、前記した特許文献２に記載されている。
【実施例１】
【００１８】
図２は、本リーダライタの第１形態を示す外観図、図３は、第１形態の内部構造を示す図である。第１形態では、円筒状のラップフィルム軸受け部３と持ち手部４は一体の構造体にされている。ラップフィルム軸受け部３に紙管９に巻かれたラップフィルム８を嵌め込みして使用する。第１形態では当該軸受け部３のプラスチック管内に非接触ＩＣタグのリーダライタのアンテナ２ａが納められている。このようにリーダライタのアンテナ２ａがプラスチック管内にあれば、一般的にラップフィルム８の幅内に位置することが多い製品等の非接触ＩＣタグ１０と交信して読み取り易くなる。
【００１９】
作業者Ｍがパレットの周囲を周回してラップフィルムを巻き回す場合は、ラップフィルムの紙管９は軸受け部３のプラスチック管の周面を滑って回転することになる。滑り易くするためにプラスチック管の周面に回転方向に沿った凸状の溝３ｍを設けることが好ましい。あるいはプラスチック管の持ち手部４側の端部と先端部あるいは適宜箇所にプラスチック製ボールベアリングを備えて紙管９が自由に回転できるようにするのも好ましい。適宜箇所とは、紙管９の長さに応じて適切の箇所に設ける趣旨である。
【００２０】
パレットの周囲を回る間に軸受け部３の製品や荷物等に対面する方向も変化するが、軸受け部３自体は回転しないので持ち手部４を一定状態で保持する限り、プラスチック管内のアンテナの指向方向を製品や荷物１１側に向けておくことが可能になる。
従って、本ＩＣタグリーダライタ１のアンテナ２ａは、軸受け部３の内部にあってもある程度の指向性を持たせることができる。ただし、表示部６の位置とアンテナ２ａの指向性の方向を配慮する必要がある。
【００２１】
ラップフィルム８の巻かれている紙管９は各種のものがあるが、業務用のラップフィルムは、内径２インチや３インチの紙管に巻かれていることが多い。そのため、ラップフィルム軸受け部３は、内径２インチまたは３インチの紙管９を装着できる必要がある。
もちろん、より小径の紙管を装着可能にするため、前記のように軸受け部３自体の径を拡大縮小可能にしたり、小径の軸受け部３に交換可能にすることも好ましい。
【００２２】
持ち手部４は、ハンドル４ｈを備え、表示部６と操作部７をさらに備えている。内部にはＩＣタグ用リーダライタ本体部２を備えている。アンテナ２ａはケーブル２ｃによりリーダライタ本体部２に接続している。表示部６は順次読み取りされた非接触ＩＣタグ１０に書き込まれているデータ内容を逐次表示するものである。操作部７は、電源のオン、オフや、データの消去・送信、あるいは非接触ＩＣタグ１０の書き込み内容に修正書き込みする操作ボタンであってもよい。リーダライタ本体部２と表示部６もケーブル２ｃにより接続する。リーダライタアンテナ２ａを軸受け部３に備える第１形態では、軸受け部３を持ち手部４から回転可能にもできるが、持ち手部４内のリーダライタ本体部との複雑な接続構造が必要になる。
【００２３】
本リーダライタの第１形態では、前記のようにラップフィルム軸受け部３と持ち手部４が原則として一体の構造になっていて、ラップフィルム８の紙管９は軸受け部３に嵌め込みされた状態で回転自在にされている。軸受け部３は内部にリーダライタアンテナ２ａを備えていて、基本的には円筒状のプラスチック管から構成されている。
持ち手部４に納めるＩＣタグ用リーダライタ本体部２には、市販の各種ハンディーリーダライタを使用でき、これに特製のアンテナ２ａを接続して構成することができる。
【実施例２】
【００２４】
図４は、本リーダライタの第２形態を示す外観図、図５は、図４の内部構造を示す図である。第２形態の本リーダライタ１は、円筒状のラップフィルム軸受け部３と持ち手部４が、回転部５により自在に回転できる構造にされている。当該回転部５にはベアリング等を使用できる。第２形態では、リーダライタ本体部２とアンテナ２ａの双方が、持ち手部４の中に備えられているので、ラップフィルム軸受け部３には強固な金属管を使用できる。ただし、持ち手部４は基本的に電波を遮断しない材料を使う必要がある。回転部５は金属製ベアリングにより軸受け部３を頑丈に支持する構造にするのが好ましい。
【００２５】
作業者がパレットの周囲を周回してラップフィルムを巻き回す場合は、持ち手部４のハンドル４ｈを左右の手で保持してパレット２０の周囲を周回するので、通常、持ち手部４のいずれかの向きによって、製品や荷物等に対面する方向も変化することになる。従って、指向性のあるアンテナの場合は指向方向を定めておく必要がある。
【００２６】
図４では、本リーダライタ１を保持する一方のハンドル４ｈを正面に有し、他方のハンドルを裏面側に有している。例えば、ハンドル４ｈを左手に持ち、他方のハンドルを右手に持って操作することができる。持ち手部４のアンテナ２ａ部分は読み取りされる対象である製品等の非接触ＩＣタグ１０側に突出したプラスチック窓４ｍからなるようにすると、アンテナ２ａとＩＣタグの距離が接近するので、読み取りが容易になる。
【００２７】
ラップフィルム軸受け部３にアルミニウムパイプ（外径２インチ、長さ５０ｃｍ）を使用し、持ち手部４の金属製上蓋部に金属ベアリングにより回転自在に支持される構造を構成した。持ち手部４の上蓋部以外は、プラスチック材料（ポリプロピレン樹脂）により成型して、左右のハンドル４ｈと突出した窓部４ｍを有する略円筒状体を、図４、図５のようにして製作した。持ち手部４の内部に無線ＩＣタグハンディリーダライタ（Ｗｅｌｃａｔ社販売「ＲＣＴ−２００−１」）を納め、当該無線ＩＣタグハンディリーダライタの表示部６と操作部７を外部から観察および操作できるようにして、第２形態の本リーダライタ１を完成した。
【００２８】
ダンボール箱の外面に、１３．５６ＭＨｚの非接触ＩＣタグ（大日本印刷株式会社製「Ａｃｃｕｗａｒｅ」（商標））を貼り付けし、当該非接触ＩＣタグ１０を貼り付けしたダンボール箱の２４箱をパレット２０の上に、図１のように非接触ＩＣタグ１０の全部が外側を向くように積み上げした。
上記で完成した第２形態の本リーダライタ１の軸受け部３に、内径２インチの紙管９に巻かれた幅４０ｃｍのラップフィルムを差し込んで装着した。上記パレット２０上のダンボール箱に対して、ラップフィルム８の巻き付けと同時に非接触ＩＣタグ１０の読み取りを行い、読み落としなく確実に読み取りできることが確認できた。
【図面の簡単な説明】
【００２９】
【図１】本リーダライタの使用状況を説明する図である。
【図２】本リーダライタの第１形態を示す外観図である。
【図３】第１形態の内部構造を示す図である。
【図４】本リーダライタの第２形態を示す外観図である。
【図５】第２形態の内部構造を示す図である。
【符号の説明】
【００３０】
１    ラップフィルム軸受け型ＩＣタグリーダライタ、本リーダライタ
２    リーダライタ本体部
３    軸受け部
４    持ち手部
５    回転部
６    表示部
７    操作部
８    ラップフィルム
９    紙管
１０    非接触ＩＣタグ
１１    製品や荷物
２０    パレット
【図１】
2007304901.tif 000003
【図２】
2007304901.tif 000004
【図３】
2007304901.tif 000005
【図４】
2007304901.tif 000006
【図５】
2007304901.tif 000007